【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
シート状の印字媒体又は剛体の媒体の異なる印字対象物に対して選択的に印字する印字装置であって、
前記印字媒体又は前記剛体の媒体に印字が可能な単一の印字手段と、
前記印字手段によって印字された前記印字媒体を切断するための切断手段と、
装置本体に収容された印字対象物を検出するための検出手段と、
前記印字手段及び前記切断手段を制御する制御手段とを備え、
前記制御手段は、前記印字手段を動作させて前記印字媒体又は前記剛体の媒体に印字を行うとともに、前記検出手段で前記印字媒体が検出されたときは前記切断手段の動作を許容し、前記検出手段で前記剛体の媒体が検出されたときは前記切断手段の動作を禁止することを特徴とする印字装置。
【請求項２】
前記印字媒体に印字を行う第１の印字モード又は前記剛体の媒体に印字を行う第２の印字モードを設定する印字モード設定手段を備え、
前記制御手段は、前記印字モード設定手段によって前記第１の印字モードが設定され、かつ前記検出手段によって印字対象物が前記印字媒体であることが検出されたときに、前記印字手段を動作させて前記印字媒体に印字するとともに、前記切断手段を動作させて前記印字手段により印字した前記印字媒体を切断する一方、前記印字モード設定手段によって前記第２の印字モードが設定され、かつ前記検出手段によって印字対象物が前記剛体の媒体であることが検出されたときに、前記印字手段を動作させて前記剛体の媒体に印字するとともに、前記切断手段の動作を禁止する制御を行うことを特徴とする請求項１記載の印字装置。
【請求項３】
前記印字モード設定手段によって前記第１の印字モードが設定され、かつ前記検出手段によって印字対象物が前記印字媒体であることが検出されないとき、及び前記印字モード設定手段によって前記第２の印字モードが設定され、かつ前記検出手段によって印字対象物が前記剛体の媒体であることが検出されないときにエラー報知を行う報知手段を備えることを特徴とする請求項２記載の印字装置。
【請求項４】
前記制御手段は、前記印字モード設定手段によって前記第１の印字モードが設定され、かつ前記検出手段によって印字対象物が前記印字媒体であることが検出されないとき、及び前記印字モード設定手段によって前記第２の印字モードが設定され、かつ前記検出手段によって印字対象物が前記剛体の媒体であることが検出されないときに、前記印字手段及び前記切断手段の動作を禁止することを特徴とする請求項2記載の印字装置。
【請求項５】
印字対象物に対して切断を行う第１のモード及び印字対象物に対して切断を行わない第２のモードが設定可能な切断モード設定手段を備え、
前記制御手段は、前記切断モード設定手段によって前記第１のモードが設定された場合において、前記検出手段によって印字対象物が前記印字媒体であることが検出されたときに、前記印字手段及び前記切断手段の動作を許容する制御を行い、前記検出手段によって印字対象物が前記剛体の媒体であることが検出されたときに、前記印字手段の動作を許容する一方、前記切断手段の動作を禁止する制御を行うことを特徴とする請求項１記載の印字装置。
【請求項６】
前記印字手段はサーマルヘッドを備え、
前記印字媒体はインクリボンとともに第１のカセットに保持されて装置本体に収容される一方、前記剛体の媒体はインクリボンを保持した第２のカセットとともに前記装置本体に収容され、
前記印字手段は、前記印字媒体に対して前記第１のカセットのインクリボンのインクを熱転写し、前記剛体の媒体に対して前記第２のカセットのインクリボンを熱転写することを特徴とする請求項１記載の印字装置。
【請求項７】
前記検出手段は、前記装置本体に前記印字媒体が収容されていることを検出するための第１の検出手段と、前記装置本体に前記剛体の媒体が収容されていることを検出するための第２の検出手段とで構成することを特徴とする請求項１記載の印字装置。
【請求項８】
前記印字手段及び前記切断手段が臨んで配置される共通の搬送経路に沿って前記印字媒体及び前記剛体の媒体を搬送する搬送手段を備えていることを特徴とする請求項１記載の印字装置。
【請求項９】
前記印字媒体は印字用テープであり、前記剛体の媒体は電子データが記録可能な記録媒体であることを特徴とする請求項１記載の印字装置。
【手続補正２】
【補正対象書類名】明細書
【補正対象項目名】００１３
【補正方法】変更
【補正の内容】
【００１３】
請求項１の発明は、シート状の印字媒体又は剛体の媒体の異なる印字対象物に対して選択的に印字する印字装置であって、前記印字媒体又は前記剛体の媒体に印字が可能な単一の印字手段と、前記印字手段によって印字された前記印字媒体を切断するための切断手段と、装置本体に収容された印字対象物を検出するための検出手段と、前記印字手段及び前記切断手段を制御する制御手段とを備え、前記制御手段は、前記制御手段は、前記印字手段を動作させて前記印字媒体又は前記剛体の媒体に印字を行うとともに、前記検出手段で前記印字媒体が検出されたときは前記切断手段の動作を許容し、前記検出手段で前記剛体の媒体が検出されたときは前記切断手段の動作を禁止することを特徴としている。
【手続補正３】
【補正対象書類名】明細書
【補正対象項目名】００１４
【補正方法】変更
【補正の内容】
【００１４】
請求項２の発明は、前記印字媒体に印字を行う第１の印字モード又は前記剛体の媒体に印字を行う第２の印字モードを設定する印字モード設定手段を備え、前記制御手段は、前記印字モード設定手段によって前記第１の印字モードが設定され、かつ前記検出手段によって印字対象物が印字媒体であることが検出されたときに、前記印字手段を動作させて前記印字媒体に印字するとともに、前記切断手段を動作させて前記印字手段により印字した前記印字媒体を切断する一方、前記印字モード設定手段によって前記第２の印字モードが設定され、かつ前記検出手段によって印字対象物が前記剛体の媒体であることが検出されたときに、前記印字手段を動作させて前記剛体の媒体に印字するとともに、前記切断手段の動作を禁止する制御を行うことを特徴としている。
【手続補正４】
【補正対象書類名】明細書
【補正対象項目名】００１５
【補正方法】変更
【補正の内容】
【００１５】
請求項３の発明は、前記印字モード設定手段によって前記第１の印字モードが設定され、かつ前記検出手段によって印字対象物が前記印字媒体であることが検出されないとき、及び前記印字モード設定手段によって前記第２の印字モードが設定され、かつ前記検出手段によって印字対象物が前記剛体の媒体であることが検出されないときにエラー報知を行う報知手段を備えることを特徴としている。
【手続補正５】
【補正対象書類名】明細書
【補正対象項目名】００１６
【補正方法】変更
【補正の内容】
【００１６】
請求項４の発明は、前記制御手段は、前記印字モード設定手段によって前記第１の印字モードが設定され、かつ前記検出手段によって印字対象物が前記印字媒体であることが検出されないとき、及び前記印字モード設定手段によって前記第２の印字モードが設定され、かつ前記検出手段によって印字対象物が前記剛体の媒体であることが検出されないときに、前記印字手段及び前記切断手段の動作を禁止することを特徴としている。
【手続補正６】
【補正対象書類名】明細書
【補正対象項目名】００１７
【補正方法】変更
【補正の内容】
【００１７】
請求項５の発明は、印字対象物に対して切断を行う第１のモード及び印字対象物に対して切断を行わない第２のモードが設定可能な切断モード設定手段を備え、前記制御手段は、前記切断モード設定手段によって前記第１のモードが設定された場合において、前記検出手段によって印字対象物が前記印字媒体であることが検出されたときに、前記印字手段及び前記切断手段の動作を許容する制御を行い、前記検出手段によって印字対象物が前記剛体の媒体であることが検出されたときに、前記印字手段の動作を許容する一方、前記切断手段の動作を禁止する制御を行うことを特徴としている。
【手続補正７】
【補正対象書類名】明細書
【補正対象項目名】００１８
【補正方法】変更
【補正の内容】
【００１８】
請求項６の発明は、前記印字手段はサーマルヘッドを備え、前記印字媒体はインクリボンとともに第１のカセットに保持されて装置本体に収容される一方、前記剛体の媒体はインクリボンを保持した第２のカセットとともに前記装置本体に収容され、前記印字手段は、前記印字媒体に対して前記第１のカセットのインクリボンのインクを熱転写し、前記剛体の媒体に対して前記第２のカセットのインクリボンを熱転写することを特徴としている。
【手続補正８】
【補正対象書類名】明細書
【補正対象項目名】００１９
【補正方法】変更
【補正の内容】
【００１９】
請求項７の発明は、前記検出手段は、前記装置本体に前記印字媒体が収容されていることを検出するための第１の検出手段と、前記装置本体に前記剛体の媒体が収容されていることを検出するための第２の検出手段とで構成する。また、請求項８の発明は、前記印字手段及び前記切断手段が臨んで配置される共通の搬送経路に沿って前記印字媒体及び前記剛体の媒体を搬送する搬送手段を備えていることを特徴とする。また、請求項９の発明は、前記印字媒体は印字用テープであり、剛体の媒体は電子データが記録可能な記録媒体であることを特徴としている。
【手続補正９】
【補正対象書類名】明細書
【補正対象項目名】００２０
【補正方法】変更
【補正の内容】
【００２０】
請求項１の発明によれば、印字媒体に対しては、印字をするとともに切断を行ない、また、剛体の媒体に対しては、印字のみを行って切断を行なわないように制御するため、剛体の媒体を切断してこれを破損することがなく、また印字媒体に対応して設けられた切断手段を、適応しない剛体の媒体に対して動作させることで、その切断手段に故障を生じさせてしまうような不都合をなくすることができる。
【手続補正１０】
【補正対象書類名】明細書
【補正対象項目名】００２１
【補正方法】変更
【補正の内容】
【００２１】
また、請求項２の発明によれば、印字媒体に印字する第１の印字モードでは、印字媒体に印字をするとともに切断を行ない、また、剛体の媒体に印字する第２の印字モードでは、剛体の媒体に印字のみを行って切断を行なわないように制御するため、剛体の媒体を切断してこれを破損することがなく、また印字媒体に対応して設けられた切断手段を、適応しない剛体の媒体に対して動作させることで、その切断手段に故障を生じさせてしまうような不都合をなくすることができる。
【手続補正１１】
【補正対象書類名】明細書
【補正対象項目名】００２２
【補正方法】変更
【補正の内容】
【００２２】
また、請求項５の発明によれば、切断するか否かを決める切断モードを設定する一方、処理対象となる印字対象物の種類を検出し、処理対象物が剛体の媒体であることが検出された場合には、切断を行なうモードが設定されていたとしても、印字のみを行ない切断を行なわないことにより、剛体の媒体を切断してこれを破損することがなく、また印字媒体に対応して設けられた切断手段を、適応しない剛体の媒体に対して動作させることで、その切断手段に故障を生じさせてしまうような不都合をなくすることができる。
【手続補正１２】
【補正対象書類名】明細書
【補正対象項目名】００２３
【補正方法】削除
【補正の内容】